【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】
光を発生するランプユニット、
前記光の入射を受ける側面と、入射された光を反射する反射面と、前記入射された光及び反射された光を射出する射出面とを含み、前記光をガイドし、前記側面のうちの少なくとも一つの側面に一つ以上の固定凹所が形成された導光ユニット、及び
基底面と、前記ランプユニット及び導光ユニットを収納する収納空間が形成されるように前記基底面から延びた側壁と、前記固定凹所に結合するために前記側壁から前記収納空間に向かって突出した一つ以上の固定突起とを備える収納容器を含むことを特徴とするバックライトアセンブリ。
【請求項２】
前記収納容器の側壁には、前記固定突起が形成された領域に対応し、前記バックライトアセンブリを外部ケースに固定するための一つ以上の締結孔が形成されたことを特徴とする請求項１に記載のバックライトアセンブリ。
【請求項３】
前記締結孔は、前記側壁を貫通して前記固定突起まで延びることを特徴とする請求項２に記載のバックライトアセンブリ。
【請求項４】
前記固定突起は、前記導光ユニットの側面と接して前記導光ユニットをガイドするガイド面と、前記基底面と接する下部面と、前記下部面と反対側の上部面とを含むことを特徴とする請求項１に記載のバックライトアセンブリ。
【請求項５】
前記固定突起には、前記ガイド面と前記上部面との間に前記導光ユニットから漏洩した光を前記導光ユニットに反射するための傾斜面が形成されたことを特徴とする請求項４に記載のバックライトアセンブリ。
【請求項６】
前記導光ユニットの側面により画定される角のうち、前記ランプユニットに近接する角にキャッチングジョーが形成されたことを特徴とする請求項１に記載のバックライトアセンブリ。
【請求項７】
前記収納容器は、前記角に対応する位置に形成され、前記キャッチングジョーと係合するキャッチング突起を備えることを特徴とする請求項６に記載のバックライトアセンブリ。
【請求項８】
前記バックライトアセンブリは、
前記射出面と向き合う本体部と、前記本体部から延びる固定部とを含み、前記射出面上に配置され前記導光ユニットから射出された光の輝度分布を均一にするための光学シートをさらに含むことを特徴とする請求項１に記載のバックライトアセンブリ。
【請求項９】
前記固定部は固定孔を有することを特徴とする請求項８に記載のバックライトアセンブリ。
【請求項１０】
前記固定突起の上部面に、前記固定孔と結合するためのシート固定突起が形成されたことを特徴とする請求項９に記載のバックライトアセンブリ。
【請求項１１】
前記バックライトアセンブリは、
前記反射面と向き合う第１反射面と、前記第１反射面から延び前記側面と向き合って、前記固定突起を露出させるための開口部が形成された第２反射面とを備えて、前記導光ユニットの反射面から漏洩した光を前記反射面に反射するための反射板をさらに含むことを特徴とする請求項１に記載のバックライトアセンブリ。
【請求項１２】
光を発生するランプユニット、
前記光の入射を受ける側面と、入射された光を反射する反射面と、前記入射された光及び反射された光を射出する射出面とを含み、前記光をガイドし、前記側面のうちの少なくとも一つの側面に一つ以上の固定凹所が形成された導光ユニット、
基底面と、前記ランプユニット及び導光ユニットを収納する収納空間が形成されるように、前記基底面から延びられた側壁と、前記固定凹所に結合するために前記側壁から前記固定空間に向かって突出した一つ以上の固定突起とを備えて、
前記側壁には前記固定突起が形成された領域に対応し、外部ケースと締結するための一つ以上の締結孔が形成された第１収納容器、
前記第１収納容器に定着され、前記導光ユニットからガイドされた光の提供を受けて映像を表示するための液晶表示パネル、及び
前記液晶表示パネルを加圧する上部面と、前記上部面から延び前記第１収納容器と結合する第１側壁面とを備えて、前記液晶表示パネルを前記第１収納容器に固定し、前記第１収納容器の前記締結孔に対応する位置に締結凹所が形成された第２収納容器を含むことを特徴とする液晶表示装置。
【請求項１３】
前記第１及び第２収納容器を上部外部ケースと結合するために、前記第２収納容器の第１締結凹所及び前記第１収納容器の第１締結孔に順次締結されるスクリューをさらに含むことを特徴とする請求項１２に記載の液晶表示装置。
【請求項１４】
前記液晶表示装置は、
前記導光ユニットが定着される定着面と、前記導光ユニットの側面と向き合うように前記定着面から延びる第３側壁面とを含み、前記第３側壁面に前記第１収納容器の固定突起と前記側面が向き合うように前記固定突起を露出する開口部が形成された第３収納容器をさらに含むことを特徴とする請求項１２に記載の液晶表示装置。
【請求項１５】
前記第３収納容器は、前記第３側壁面から外側に延び、第１締結孔が形成された固定部をさらに含むことを特徴とする請求項１４に記載の液晶表示装置。
【請求項１６】
前記第２収納容器の上部面には、前記第３収納容器の前記第１締結孔に対応する位置に第３締結孔が形成されたことを特徴とする請求項１５に記載の液晶表示装置。
【請求項１７】
外部装置から提供される電気的信号により前記液晶表示パネルを駆動するための第１コネクタ及び前記第１コネクタに電気信号を供給するために第１コネクタと前記外部装置との間に連結された第２コネクタからなる駆動部をさらに含むことを特徴とする請求項１４に記載の液晶表示装置。
【請求項１８】
前記第３収納容器は、
背面から突出し前記駆動部を支持するための第１支持部と、
前記第１支持部から突出し前記駆動部の前記第２コネクタを支持するための第２支持部とをさらに含むことを特徴とする請求項１７に記載の液晶表示装置。
【請求項１９】
外部から提供される電気信号により前記液晶表示パネルを駆動するためのコネクタを有する駆動部をさらに含むことを特徴とする請求項１４に記載の液晶表示装置。
【請求項２０】
前記駆動部は前記締結凹所と対応する位置に形成された一つ以上の貫通ホールを備え、前記第１収納容器の側壁に沿って配置されることを特徴とする請求項１９に記載の液晶表示装置。
【請求項２１】
前記第１、第２収納容器及び駆動部は、前記ケースを貫通したスクリューが前記第２収納容器の前記締結凹所、前記駆動部の前記貫通ホール及び前記第１収納容器の前記締結孔に順次締結されることにより前記ケースと結合することを特徴とする請求項２０に記載の液晶表示装置。
【請求項２２】
前記射出面から射出された光の輝度分布を均一にして、前記液晶表示パネルに提供するための本体部と、前記本体部から延び前記固定突起に結合される固定部とを含む一つ以上の光学シート、及び
前記第１収納容器上に備えられて前記固定部を加圧し、前記液晶表示パネルが定着される第４収納容器をさらに含むことを特徴とする請求項１２に記載の液晶表示装置。
【請求項２３】
前記第１収納容器は前記側壁の上面から突出されたモールド固定突起をさらに備え、前記第４収納容器に前記モールド固定突起と結合するための収納凹所が形成されたことを特徴とする請求項２２に記載の液晶表示装置。
【請求項２４】
前記第４収納容器は、前記光が外部に漏洩することを防止するために第１光反射率を有し、前記加圧部には前記光学シートを固定し、前記光を本体部に反射するために前記第１光反射率より大きい第２光反射率を有する接着部材が取り付けられることを特徴とする請求項２２に記載の液晶表示装置。
【請求項２５】
前記第４収納容器は接着部材の光反射率より小さい光反射率を有することを特徴とする請求項２４に記載の液晶表示装置。
【請求項２６】
前記外部ケースは、
前記液晶表示モジュールを収納するリアケースと、
前記液晶表示モジュールの有効ディスプレー領域に対応する部分が開口されている、前記リアケースと結合するフロントケースとを含むことを特徴とする請求項１２に記載の液晶表示装置。
【請求項２７】
前記フロントケースと前記リアケースのうちのいずれか一つには、前記第１締結凹所及び第１締結孔と結合するための第２締結孔が形成されたことを特徴とする請求項２６に記載の液晶表示装置。
【請求項２８】
前記外部ケースと液晶表示モジュールは、前記第２締結孔、前記締結凹所及び前記第１締結孔に順次締結されるスクリューにより結合されることを特徴とする請求項２７に記載の液晶表示装置。
【請求項２９】
光を発生するランプユニットと、
前記光の入射を受ける側面、入射された光を反射する反射面、前記入射された光及び反射された光を射出する射出面を含み、前記光をガイドし、前記側面のうちの少なくとも一つの側面に少なくとも一つの固定凹所が形成された導光ユニットと、
前記ランプユニット及び導光ユニットを収納する収納空間を提供する側壁、前記側壁から前記収納空間に向かって突出され前記固定凹所に結合してシート固定突起を有する少なくとも一つの固定突起を備える収納容器と、
前記導光ユニットの前記射出面上に配置され、前記シート固定突起に結合される固定ホールを有する光学シートと、を含むバックライトアセンブリ。
【請求項３０】
前記光学シートは、
前記導光ユニットの前記射出面と向き合う本体部と、
前記本体部から延びる固定部と、を含むことを特徴とする請求項２９に記載のバックライトアセンブリ。
【請求項３１】
前記固定ホールは、前記固定部を貫通して形成されることを特徴とする請求項３０に記載のバックライトアセンブリ。
【請求項３２】
前記固定突起は、前記導光ユニットをガイドするガイド面、前記収納容器の基底面と向き合う下部面、及び前記下部面に対応する上部面を含むことを特徴とする請求項２９に記載のバックライトアセンブリ。
【請求項３３】
前記固定突起は、前記ガイド面と前記上部面との間に配置され前記導光ユニットから漏洩した光を反射させるための傾斜面を更に含むことを特徴とする請求項３２に記載のバックライトアセンブリ。
【請求項３４】
前記導光ユニットは、前記導光ユニットの角のうち、前記ランプユニットに近接する角に配置されたキャッチングジョーを具備することを特徴とする請求項２９に記載のバックライトアセンブリ。
【請求項３５】
前記収納容器は、前記角に対応する位置に形成され、前記キャッチングジョーと係合するキャッチング突起を備えることを特徴とする請求項３４に記載のバックライトアセンブリ。
【請求項３６】
前記導光ユニットから漏洩した光を前記導光ユニットの前記反射面に反射するための反射板をさらに含むことを特徴とする請求項２９に記載のバックライトアセンブリ。
【請求項３７】
前記反射板は、
前記反射面と向き合う第１反射面と、
前記第１反射面から延び前記側面と向き合って、前記固定突起を露出させるための開口部が形成された第２反射面と、を含むことを特徴とする請求項３６に記載のバックライトアセンブリ。
【請求項３８】
光を発生するランプユニットと、
前記光の入射を受ける側面、入射された光を反射する反射面、前記入射された光及び反射された光を射出する射出面を含み、前記光をガイドし、前記側面のうちの少なくとも一つの側面に少なくとも一つの固定凹所が形成された導光ユニットと、
前記ランプユニット及び導光ユニットを収納する第１収納空間を提供する第１側壁、前記第１側壁から前記第１収納空間に向かって突出され前記固定凹所に結合してシート固定突起を有する少なくとも一つの固定突起、及び前記第１側壁に前記固定突起と対応して形成された少なくとも一つの締結凹所を具備して、前記ランプユニット及び前記導光ユニットを外部ケースに固定する第１収納容器と、
前記導光ユニットの前記射出面上に配置され、前記シート固定突起に結合される固定ホールを有する光学シートと、
前記第１収納容器に定着され、前記導光ユニットからガイドされた光の提供を受けて映像を表示するための液晶表示パネルと、
前記液晶表示パネルを加圧する上部面、前記上部面から延び前記第１収納容器と結合する第２側壁面、及び前記第１締結凹所に対応する第１締結孔を具備して前記液晶表示パネルを前記第１収納容器に固定する第２収納容器と、を含む液晶表示装置。
【請求項３９】
前記光学シートは、
前記導光ユニットの前記射出面と向き合う本体部と、
前記本体部から延びる固定部と、を含むことを特徴とする請求項３８に記載の液晶表示装置。
【請求項４０】
前記固定ホールは、前記固定部を貫通して形成されることを特徴とする請求項３９記載の液晶表示装置。
【請求項４１】
前記導光ユニットは、前記導光ユニットの角のうち、前記ランプユニットに近接する角に配置されたキャッチングジョーを具備することを特徴とする請求項３８に記載の液晶表示装置。
【請求項４２】
前記収納容器は、前記角に対応する位置に形成され、前記キャッチングジョーと係合するキャッチング突起を備えることを特徴とする請求項４１に記載の液晶表示装置。
【請求項４３】
前記導光ユニットから漏洩した光を前記導光ユニットの前記反射面に反射するための反射板をさらに含むことを特徴とする請求項３８に記載の液晶表示装置。
【請求項４４】
前記反射板は、
前記反射面と向き合う第１反射面と、
前記第１反射面から延び前記側面と向き合って、前記固定突起を露出させるための開口部が形成された第２反射面と、を  含むことを特徴とする請求項４３に記載の液晶表示装置。
【請求項４５】
前記導光ユニットを収納するための収納面と、
前記収納面から延長され前記導光ユニットの前記側面を向き合う第３側壁を具備する第３収納容器と、を更に含むことを特徴とする請求項３８記載の液晶表示装置。
【請求項４６】
前記第３側壁は、前記第１収納容器の前記固定突起を前記導光ユニットの前記側面と向き合うように露出させるための開口部を有することを特徴とする請求項４５記載の液晶表示装置。